(57)【要約】【課題】  着用者に対する安全性を実現でき、反発弾性がなく且つ十分な形状保持効果を得て商品陳列時等で良好な保形性を保て着用者に履き心地の良い最適な形状を得ることができ、バンドの表面にも線材の輪郭が浮き上がらず美しい外観を得ることができ、着用者の歩行時の負担とならないサンダル用バンド部材形状保持具の取付構造の提供。【解決手段】  保持具本体を有し且つ塑性を有する薄板状としたサンダル用バンド部材形状保持具の取付構造において、保持具本体は、合成樹脂製の形状保持材料からなるテープ状の薄板とし、サンダル用バンド部材からサンダルの中底に亘って、サンダル用バンド部材形状保持具を取着してなることを特徴とするサンダル用バンド部材形状保持具の取付構造。【選択図】  図７
2006136442.tif 000002
【特許請求の範囲】
【請求項１】
保持具本体を有し且つ塑性を有する薄板状としたサンダル用バンド部材形状保持具の取付構造において、
保持具本体は、合成樹脂製の形状保持材料からなるテープ状の薄板とし、サンダル用バンド部材からサンダルの中底に亘って、サンダル用バンド部材形状保持具を取着してなることを特徴とするサンダル用バンド部材形状保持具の取付構造。
【請求項２】
サンダル用バンド部材形状保持具は、保持具本体と該保持具本体に積層される糊層とを備え、前記保持具本体は、ポリオレフィンを長手方向に高倍率延伸して分子配列した形状保持材料からなるものとし、保持具本体の長手方向を、サンダル用バンド部材の帆立部からサンダルの中底に亘る上下方向として、取着してなることを特徴とする請求項１記載のサンダル用バンド部材形状保持具の取付構造。
【請求項３】
保持具本体を有し且つ塑性を有する薄板状としたサンダル用バンド部材形状保持具を備えた、サンダルにおいて、
サンダル用バンド部材形状保持具は、ポリオレフィンを長手方向に高倍率延伸して分子配列した形状保持材料からなるテープ状の薄板とし、前記サンダル用バンド部材形状保持具の長手方向を、サンダル用バンド部材の帆立部からサンダルの中底に亘る上下方向として取着したことを特徴とするサンダル。
【発明の詳細な説明】
【技術分野】
【０００１】
本発明は、サンダルにおけるバックバンド部材若しくは甲皮を形成するバンド部材（以下、総称して「サンダル用バンド部材」という。）の帆立部等の補強を行うための形状保持具（以下、サンダル用バンド部材形状保持具という。）の取付構造、及び該サンダル用バンド部材形状保持具を備えたサンダルに関するものである。
【背景技術】
【０００２】
従来、婦人用サンダルのバンドの帆立部の補強を行うものとして、バックバンドの少なくとも帆立部に対して用いる、塑性を有する金属（アルミニウム若しくは錫−鉛合金等）の線材若しくは薄板からなる形状保持具、また、前記金属線材を挟んで貼り合わされる二枚のキャリアシート及び糊層からなるワッペン状の形状保持具、そして、この形状保持具を備えた婦人用サンダルが公知である（例えば、特許文献１参照。）。
【０００３】
【特許文献１】実開昭５４−１５４１４５号公報
【発明の開示】
【発明が解決しようとする課題】
【０００４】
上記特許文献１に係る形状保持具は、帆立部の補強自体を行う点に関しては、一応の効果を得ることができるものであった。しかしながら、塑性を有する金属（アルミニウム若しくは錫−鉛合金等）の線材若しくは薄板のみを形状保持具の本体とするものについては、外観上の体裁が悪いばかりでなく、取扱い時に指等を傷付ける虞があった。また、サンダルの使用態様からすると、着用者の体重や急激な動きから生ずる様々な負荷が当該形状保持具に対してかかることから、例えば形状保持具本体における長手方向中央等の特定の箇所で、度重なる屈曲が生ずることにより、線材が切断したり、若しくは薄板に亀裂が発生することとなり、耐久性が低下するとともに、着用者の足に突出した鋭利な部分が突き刺さる危険性を生じるものであった。
【０００５】
これらの欠点を緩和できるものとして、上記特許文献１には、前記金属線材を挟んで貼り合わされる二枚のキャリアシート（ビニルテープ）及び糊層からなるワッペン状の形状保持具が合せて開示されている。
【０００６】
しかしながら、金属線材を挟んで貼り合わされる二枚のキャリアシート及び糊層からなるワッペン状の形状保持具とした場合であっても、該二枚のキャリアシートによって線材若しくは薄板が保護されることで幾分耐久性は向上するものの、消耗することによって、線材の場合には切断部が、金属板の場合には、鋭利な縁部がキャリアシートやバンド形成生地を突き破って外部に露出することがあり、前記したキャリアシートで被覆しない場合と同様に、鋭利な部分が足に突き刺さる危険性を生じるものであった。
【０００７】
そして更に、これらの金属製材料を用いることによって、サンダル自体の重量が増加し、着用者にとって歩行時の負担が大きくなる欠点があった。
【０００８】
このため、近年においては、上記形状保持具の材質を合成樹脂として、キャリアシートで被覆することが行われている。ここで、当該形状保持具は、バックバンド部材等のバンド部材に対して重合して使用するものであることから極めて薄い形状であることが要求される上、合成樹脂の場合には反発弾性を有するものとなり、従って、特に合成樹脂製の薄板の場合には、反発弾性が非常に大きくなり、合成樹脂製の形状保持具は事実上使用することができず、専ら、合成樹脂製の線材を用いた形状保持具として製造されている。
【０００９】
このように、当該合成樹脂製の線材を用い、二枚のキャリアシートで当該線材を挟持し、糊層を具備するワッペン状の形状保持具とすることによって、合成樹脂の反発弾性を低減し、一応の塑性変形を実現することは可能である。しかし、形状保持具に要求される極めて薄い形状とすると、二枚のキャリアシートに挟持された線材の輪郭がキャリアシートを変形させ、サンダルのバンド内に収納すると、バンドの表面にも線材の輪郭が浮き上がって畝状の起伏を生じ、外観体裁を劣悪なものとする欠点があった。
【００１０】
本発明は以上の事情に鑑みてなされたものであり、金属部材の鋭利な縁部が露出せずに着用者に対する安全性を十分に実現することができ、また、反発弾性がなく且つ十分な形状保持効果を得ることによって、商品陳列時等において良好な保形性を保つことができるとともに着用者個人に履き心地の良い最適な形状を得ることができ、そして、バンドの表面にも線材の輪郭が浮き上がることがなく、非常に美しい外観を得ることができ、更に装着するサンダルの大幅な重量増加を招来することもなく着用者の歩行時の負担とならない、優れたサンダル用バンド部材形状保持具の取付構造と、前記サンダル用バンド部材形状保持具を備えたサンダルを提供することを、解決課題とするものである。
【課題を解決するための手段】
【００１１】
本発明は、保持具本体を有し且つ塑性を有する薄板状としたサンダル用バンド部材形状保持具の取付構造において、保持具本体は、合成樹脂製の形状保持材料からなるテープ状の薄板とし、サンダル用バンド部材からサンダルの中底に亘って、サンダル用バンド部材形状保持具を取着してなることを特徴とするサンダル用バンド部材形状保持具の取付構造、及び、該サンダル用バンド部材形状保持具が、長手方向を、サンダル用バンド部材の帆立部からサンダルの中底に亘る上下方向として取着してなることを特徴とするサンダルを、基本とするものである。
【発明の効果】
【００１２】
請求項１に係る発明によれば、保持具本体を有し且つ塑性を有する薄板状としたサンダル用バンド部材形状保持具の取付構造において、保持具本体は、合成樹脂製の形状保持材料からなるテープ状の薄板とし、サンダル用バンド部材からサンダルの中底に亘って、サンダル用バンド部材形状保持具を取着してなる取付構造としたことから、金属部材の使用を不用として着用者に対する安全性を十分に実現することができるとともに、使用するサンダルの重量増加を招来することもなく着用者の歩行時の負担を低減することができる。
【００１３】
請求項２に係る発明によれば、上記したように、サンダル用バンド部材形状保持具は、保持具本体と該保持具本体に積層される糊層とを備え、保持具本体は、ポリオレフィンを長手方向に高倍率延伸して分子配列した形状保持材料からなるものとし、保持具本体の長手方向を、サンダル用バンド部材の帆立部からサンダルの中底に亘る上下方向として、取着してなる取付構造としたことから、上記請求項１と同様に、金属部材の使用を不用として着用者に対する安全性を十分に実現することができるとともに、使用するサンダルの重量増加を招来することもなく着用者の歩行時の負担を低減することができることはもとより、反発弾性がなく且つ十分な形状保持効果を得ることができ、これによって、商品陳列時等において良好な保形性を保ち、また、着用者個人に履き心地の良い最適な形状を得ることができる。
【００１４】
更に、テープ状の薄板とした合成樹脂製形状保持材料を使用し、線材を不用とすることによって、サンダルのバンドの表面にも線材の輪郭が浮き上がるということがなく、十分な形状保持効果を得るとともに、非常に美しい外観を得ることができる。
【００１５】
請求項３に係る発明によれば、上記請求項１及び請求項２に係るサンダル用バンド部材形状保持具を、当該サンダル用バンド部材形状保持具の長手方向をサンダル用バンド部材の帆立部からサンダルの中底に亘る上下方向として取着したサンダルとしたことから、サンダル用バンド部材の曲げ方向に対して、高倍率延伸して分子配列した合成樹脂製形状保持材料が優れた塑性及び形状保持性能を発揮する優れたサンダルを提供することができる。
【００１６】
また、本発明において使用する当該サンダル用バンド部材形状保持具は、ポリオレフィンを長手方向に高倍率延伸して分子配列した構成とした場合には、短辺を引き裂く方向に対する強度は低いものであるが、当該サンダル用バンド部材形状保持具を使用した本発明に係るサンダル用バンド部材形状保持具の取付構造、及び当該サンダル用バンド部材形状保持具を備えたサンダルよれば、サンダル用バンド部材形状保持具の長手方向を、サンダル用バンド部材の帆立部からサンダルの中底に亘る上下方向として、取着する構成とすることによって、サンダル用バンド部材を使用する場合に前記短辺を引き裂く方向の負荷は全く生じないものとしている。このため、サンダル用バンド部材及びサンダル用バンド部材形状保持具の耐久性を非常に高い状態とすることができるとともに、サンダル用バンド部材形状保持具の有する欠点を除去し、上記した有利な効果のみを発揮することができるのである。
【発明を実施するための最良の形態】
【００１７】
本発明は、主として保持具本体がポリオレフィンを長手方向に高倍率延伸して分子配列した形状保持材料からなるテープ状の薄板とし、長手方向を、サンダル用バンド部材の帆立部からサンダルの中底に亘る上下方向として、取着することにより、バンドの表面にも線材の輪郭が浮き上がることがなく、非常に美しい外観を得ることができ、安全で、商品陳列時等において良好な保形性を保ち、また、着用者個人に履き心地の良い、非常に良好なサンダルを実現するサンダル用バンド部材形状保持具の取付構造、及び当該サンダル用バンド部材形状保持具を備えたサンダルを提供する目的を達成した。
【実施例】
【００１８】
図１は本発明の実施例に係るサンダル用バンド部材形状保持具１を示す斜視図及びＡ−Ａ一部拡大断面図、図２は本発明の実施例に係るサンダル２及びサンダル用バンド部材形状保持具１の取付構造を示す斜視図と帆立部におけるサンダル用バンド部材のＢ−Ｂ端面図、図３は本発明の他の実施例に係るサンダル用バンド部材形状保持具１を示す一部拡大断面図、図４は本発明の実施例に係るサンダル用バンド部材形状保持具１の取付構造を示す一部拡大断面図、図５は本発明の他の実施例に係るサンダル用バンド部材形状保持具１の取付構造を示す一部拡大図、図６は本発明の他の実施例において使用するサンダル用バンド部材形状保持具の斜視図、図７は本発明の他の実施例に係るサンダル２及びサンダル用バンド部材形状保持具１（１ａ）の取付構造を示す斜視図である。
【００１９】
本発明の実施例に係るサンダル用バンド部材形状保持具１の取付構造は、図１に示すサンダル用バンド部材形状保持具１を、図２に示すように、サンダル用バンド部材３のうちバックバンド部材３ａのみならず、甲皮側のバンド部材３における帆立部３０においても、サンダル用バンド部材形状保持具１の長手方向を、サンダル用バンド部材３の帆立部３０からサンダル２の中底２０に亘る上下方向として取着した構造である。
【００２０】
ここで先ず、サンダル用バンド部材形状保持具１は、図１に示すように、厚さ０．３ミリメートル程度、幅約７乃至８ミリメートル程度、長さ５０ミリメートル程度で、保持具本体１０と該保持具本体１０の片面１０ａに積層される糊層１１と、該糊層１１上に更に積層される剥離紙層１２とから構成されており、サンダル用バンド部材形状保持具１の使用時には、剥離紙層１２を剥がした上で、糊層１１により所望の生地等に対して位置決め接着固定するものである。そして、サンダル用バンド部材形状保持具１における保持具本体１０は、ポリエチレンを長手方向に高倍率延伸して分子配列した形状保持材料からなる塑性を有するテープ状の薄板として形成されている。
【００２１】
また、図４に断面図を示すように、サンダル用バンド部材３の帆立部３０においては、当該帆立部３０を形成すべく重合してなる二枚のバンド形成生地３１ａ、３１ｂ内にサンダル用バンド部材形状保持具１の長手上端側を挟持した構成となっており、中底２０と下底２１との間には、サンダル用バンド部材形状保持具１の残る下端側（約１０ミリメートル程度）が挟持固定した構成となっている。
【００２２】
従って、上記構成によって、帆立部３０からサンダル２の中底２０に亘って、ポリエチレンを長手方向に高倍率延伸して分子配列した構成が実現されることとなる。
【００２３】
また、本実施例においては、図２のサンダル用バンド部材３のＢ−Ｂ端面図に示すように、外側となるバンド形成生地３１ａの左右両端を折り返し、内側のバンド形成生地３１ｂの内面側に剥離紙層１２を除去したサンダル用バンド部材形状保持具１をその糊層１１によって貼付して、前記外側のバンド形成生地３１ａにおける折り返した左右両端部に内側のバンド形成生地の左右両端を縫合することによって、サンダル用バンド部材形状保持具１の輪郭がサンダル用バンド部材３の輪郭に影響しないように収容する構成としている。
【００２４】
尚、本実施例においては、前記サンダル用バンド部材形状保持具１は、ポリエチレンを一軸方向に高倍率延伸して分子配列した形状保持材料からなるものであり、本実施例においては、積水化学工業株式会社製の合成樹脂製形状保持材料であるフォルテ（登録商標）を使用している。尚、本実施例に係るサンダル用バンド部材形状保持具１を使用した場合には、８×１０8Ｐａの引張強度を有する。
【００２５】
以上のように、サンダル用バンド部材形状保持具１の長手方向を、帆立部３０からサンダル２の中底２０に亘る方向（上下方向）とし、ポリエチレンが高倍率延伸して分子配列される一軸方向を長手方向とした構成としたことによって、反発弾性がなく且つ十分な形状保持効果を得ることができる。また、これによって、商品陳列時等において良好な保形性を保つことができるとともに、着用者個人の足の形状に沿った状態でサンダル用バンド部材３の形状が保持されることで、着用者にとって非常に履き心地の良いサンダル２とすることができるのである。
【００２６】
そして、本実施例においては、サンダル用バンド部材形状保持具１の短辺から長手方向へ引き裂く方向に対する強度は低いのであるが、サンダル用バンド部材形状保持具１の上方側を帆立部３０を形成すべく重合してなる二枚のバンド形成生地３１ａ、３１ｂ内に挟持固定し、中底２０と下底２１との間には、サンダル用バンド部材形状保持具１の残る下方側が挟持固定したことによって、サンダル用バンド部材形状保持具１は他の部位（即ち、帆立部３０、中底２０及び下底２１）と一体となり、サンダル用バンド部材形状保持具１自体の短辺を引き裂く方向の負荷は全く生じないことから、当該サンダル用バンド部材形状保持具１の破損も生じず、耐久性に優れたサンダル２を提供することができる。
【００２７】
また、外側となるバンド形成生地３１ａの左右両端を折り返し、内側のバンド形成生地３１ｂの内面側に剥離紙層１２を除去したサンダル用バンド部材形状保持具１をその糊層１１によって貼付して、前記外側のバンド形成生地３１ａにおける折り返した左右両端部に内側のバンド形成生地の左右両端を縫合する構成と、線材を用いずに起伏が形成されない構成によって、サンダルのバンドの表面にも線材の輪郭が浮き上がるということが確実になくなり、十分な形状保持効果のみならず、非常に美しい外観を得ることができる。
【００２８】
尚、本発明においては、糊層は図１の一部拡大断面図に開示した単層のみならず、図３に示すように、不織布層１１ａの両面に接着剤層１１ｂ、１１ｃを形成するもの等とすることもできる。また、バンド形成生地３１ａ、３１ｂに対する貼着は、二枚のバンド形成生地３１ａ、３１ｂのうちいずれの生地の内側に対して行ってもよい。
【００２９】
また、本発明においては、実施例に開示したように全てのサンダル用バンド部材３に対してサンダル用バンド部材形状保持具１を設ける場合のみならず、例えばバックバンド部材３ａのみに当該取付構造を用いることもできる。
【００３０】
更に、上記したように、本実施例においては図４に示すように、サンダル用バンド部材３の帆立部３０においては、当該帆立部３０を形成すべく重合してなる二枚のバンド形成生地３１ａ、３１ｂ内にサンダル用バンド部材形状保持具１の長手上端側を挟持した構成とし、中底２０と下底２１との間には、サンダル用バンド部材形状保持具１の残る下端側が挟持固定した構成としているが、図５に示すように、サンダル用バンド部材形状保持具１全体を二枚のバンド形成生地３１ａ、３１ｂで挟持被覆し、サンダル用バンド部材形状保持具１の下端側を当該バンド形成生地３１ａ、３１ｂを含めて中底２０及び下底２１で挟持固定することもできる。
【００３１】
また、本発明におけるサンダル用バンド部材形状保持具１は、シート状の合成樹脂製形状保持材料を裁断して形成することもできるし、或いは、一定幅のテープ状の合成樹脂製形状保持材料を一定間隔でカットして形成することもできる。また、図６にサンダル用バンド部材形状保持具１（１ａ）、図７に該サンダル用バンド部材形状保持具１（１ａ）を備えた他の実施例に係るサンダル及びサンダル用バンド部材形状保持具の取付構造として示すように、角部に丸みを持たせる形状とすることもできる。このように、サンダル用バンド部材形状保持具１（１ａ）の角部に丸みを持たせる形状とすることで、サンダル２の着用時に、例えばサンダル用バンド部材３の帆立部３０を折り曲げる等といった種々の動きによって比較的、消耗や破損を生じやすい当該サンダル用バンド部材形状保持具における角部の欠点を排除できることから、サンダル用バンド部材形状保持具１（１ａ）の耐久性を、より一層向上させることができる。
【００３２】
尚、本発明における中底２０、下底２１はおよそ靴底の一般構成における部材であり、これら中底２０及び下底２１の間に他の層を適宜介在させることも含む趣旨である。
【００３３】
また、本発明においては、合成樹脂製の形状保持材料として使用するポリオレフィンの一例として、ポリエチレンを示したが、ポリスチレン等を用いた形状保持材料を利用することもできる。
【００３４】
更に、本発明の実施例においては、サンダル用バンド部材形状保持具１は糊層１１を備えたものとしているが、本発明はこれに限らず、サンダル用バンド部材形状保持具１が保持具本体１０のみからなり、糊層その他の接着手段を別途設けることもできるし、また、接着手段を一切用いずにサンダル用バンド部材とともに縫合することもできる。
【図面の簡単な説明】
【００３５】
【図１】本発明の実施例において使用するサンダル用バンド部材形状保持具の斜視図及びＡ−Ａ一部拡大断面図である。
【図２】本発明の実施例に係るサンダル及びサンダル用バンド部材形状保持具の取付構造を示す斜視図と帆立部におけるサンダル用バンド部材のＢ−Ｂ端面図である。
【図３】本発明の他の実施例に係るサンダル用バンド部材形状保持具を示す一部拡大断面図である。
【図４】本発明の実施例に係るサンダル用バンド部材形状保持具の取付構造を示す一部拡大断面図である。
【図５】本発明の他の実施例に係るサンダル用バンド部材形状保持具の取付構造を示す一部拡大断面図である。
【図６】本発明の他の実施例において使用するサンダル用バンド部材形状保持具の斜視図である。
【図７】本発明の他の実施例を示すサンダル及びサンダル用バンド部材形状保持具の取付構造を示す斜視図である。
【符号の説明】
【００３６】
１      サンダル用バンド部材形状保持具
１ａ    サンダル用バンド部材形状保持具
１０    保持具本体
１１    糊層
１１ａ  不織布層
１１ｂ  接着剤層
１１ｃ  接着剤層
１２    剥離紙層
２      サンダル
２０    中底
２１    下底
３      サンダル用バンド部材
３ａ    バックバンド部材
３０    帆立部
３１ａ  バンド形成生地
３１ｂ  バンド形成生地
【図１】
2006136442.tif 000003
【図２】
2006136442.tif 000004
【図３】
2006136442.tif 000005
【図４】
2006136442.tif 000006
【図５】
2006136442.tif 000007
【図６】
2006136442.tif 000008
【図７】
2006136442.tif 000009